(57)【要約】【課題】接続状態のときにメスコネクタとの接続部における液密性を確実に保持することができるコネクタを提供すること。【解決手段】コネクタ１は、筒状をなすメスコネクタ７が接続可能なものである。このコネクタ１は、先端開口部２２と、外径が先端方向に向って漸減するテーパ部２２２とを有し、筒状をなすオスコネクタ本体２と、弾性材料で構成され、テーパ部２２２を被覆する被覆部材３Ａと、メスコネクタ７との接続状態を維持するロックアダプタ２３とを備え、接続状態では、テーパ部２２２がメスコネクタ７に挿入され、メスコネクタ７により被覆部材３Ａがオスコネクタ本体２の基端方向に押圧されて、被覆部材３Ａのメスコネクタ７の基端部７２付近に変形部３５が生じ、変形部３５がメスコネクタ７の基端部７２に密着して、メスコネクタ７とオスコネクタ本体２との接続部８の液密性を保持するよう構成されている。【選択図】図５
2006223583.tif 000002
【特許請求の範囲】
【請求項１】
筒状をなすメスコネクタが接続可能なコネクタであって、
先端に設けられた開口部と、外径が先端方向に向って漸減するテーパ部とを有し、筒状をなすオスコネクタ本体と、
弾性材料で構成され、前記テーパ部の全体または先端部を除く部分を被覆する被覆部材と、
前記メスコネクタとの接続状態を維持するロック手段とを備え、
前記メスコネクタが接続されていない非接続状態では、前記被覆部材が前記テーパ部の全体または先端部を除く部分を被覆しており、
前記メスコネクタが接続された接続状態では、前記テーパ部が前記メスコネクタに挿入され、該メスコネクタにより前記被覆部材が前記オスコネクタ本体の基端方向に押圧されて、前記被覆部材の前記メスコネクタの端部付近に弾性的に変形した部分が生じ、当該部分が前記メスコネクタの端部に密着して、前記メスコネクタと前記オスコネクタ本体との接続部の液密性を保持するよう構成されていることを特徴とするコネクタ。
【請求項２】
前記被覆部材は、前記テーパ部の先端を覆う頂部と、該頂部に設けられ、必要時に開閉するスリットとを有し、
前記非接続状態では、前記スリットが閉鎖し、これにより、前記被覆部材で前記テーパ部の全体が被覆され、
前記接続状態では、前記スリットが開放して、前記オスコネクタ本体内と前記メスコネクタ内とが連通する請求項１に記載のコネクタ。
【請求項３】
前記非接続状態で前記スリットを開放させる開放手段を有する請求項２に記載のコネクタ。
【請求項４】
前記オスコネクタ本体の基端側に、基端方向に向って延長する延長部を有する請求項１ないし３のいずれかに記載のコネクタ。
【請求項５】
前記オスコネクタ本体と前記延長部との間には、それらのうちの一方側から他方側へ伝達する衝撃を緩和する緩衝部が設けられている請求項４に記載のコネクタ。
【請求項６】
前記延長部は、前記緩衝部を固定する延長部側固定部を有する請求項５に記載のコネクタ。
【請求項７】
前記メスコネクタの外周部には、ネジ部が形成されており、
前記ロック手段は、前記メスコネクタのネジ部に螺合するネジ部が内周部に設けられ、筒状をなすリング部材で構成されている請求項１ないし６のいずれかに記載のコネクタ。
【請求項８】
前記リング部材は、前記オスコネクタ本体に対して変位可能に設けられている請求項７に記載のコネクタ。
【請求項９】
前記リング部材の外周部には、該リング部材を回転操作するレバーが設けられている請求項７または８に記載のコネクタ。
【発明の詳細な説明】
【技術分野】
【０００１】
本発明は、筒状をなすメスコネクタが接続可能なコネクタに関する。
【背景技術】
【０００２】
輸液、輸血、栄養投与等に用いる液体の流路接続を必要とする医療用具においては、薬液、血液、流動食等の液体を持続的、一時的に流す際、液体の流路（回路）の接続、脱離を必要に応じて行う必要がある。このとき、回路の途中に液体の流路同士を接続する接続具（コネクタ）を取り付けることが知られている。
【０００３】
この接続具としては、例えば、特許文献１に開示されているようなものがある。特許文献１に記載されている接続具は、管状の本体と、本体の一端部に設けられた針管と、本体の一端部に固定され、針管を被包する被包部材とを有している。この被包部材は、未使用時に（非接続状態で）針先の汚染を防止するとともに、本体内の液が針先から漏れ出すのを防ぐ役割を果たすものである。
【０００４】
このような構成の接続具に、端部の開口部付近が薄肉部により覆われている管体を接続したとき、針管の針先は、薄肉部の穿刺に先立って、被包部材を刺通するが、この被包部材は、圧縮された状態となる。また、この状態のとき、針先が薄肉部を刺通しており、当該針管を介して本体と管体とが連通するとともに、本体の一端部が管体の開口部に係止されている。
【０００５】
しかしながら、接続状態では、圧縮状態の被包部材の一部（端部）が薄肉部に当接しているが、これは、液密性を保持するように作用しているわけではないため、前記接続具と管体との接続部における液密性は、確実に（十分に）保持されていないおそれがあるという問題があった。
【０００６】
【特許文献１】特開２０００−４２１０６号公報
【発明の開示】
【発明が解決しようとする課題】
【０００７】
本発明の目的は、接続状態のときにメスコネクタとの接続部における液密性を確実に保持することができるコネクタを提供することにある。
【課題を解決するための手段】
【０００８】
このような目的は、下記（１）〜（９）本発明により達成される。また、下記（１０）〜（１６）であるのが好ましい。
【０００９】
（１）  筒状をなすメスコネクタが接続可能なコネクタであって、
先端に設けられた開口部と、外径が先端方向に向って漸減するテーパ部とを有し、筒状をなすオスコネクタ本体と、
弾性材料で構成され、前記テーパ部の全体または先端部を除く部分を被覆する被覆部材と、
前記メスコネクタとの接続状態を維持するロック手段とを備え、
前記メスコネクタが接続されていない非接続状態では、前記被覆部材が前記テーパ部の全体または先端部を除く部分を被覆しており、
前記メスコネクタが接続された接続状態では、前記テーパ部が前記メスコネクタに挿入され、該メスコネクタにより前記被覆部材が前記オスコネクタ本体の基端方向に押圧されて、前記被覆部材の前記メスコネクタの端部付近に弾性的に変形した部分が生じ、当該部分が前記メスコネクタの端部に密着して、前記メスコネクタと前記オスコネクタ本体との接続部の液密性を保持するよう構成されていることを特徴とするコネクタ。
【００１０】
（２）  前記被覆部材は、前記テーパ部の先端を覆う頂部と、該頂部に設けられ、必要時に開閉するスリットとを有し、
前記非接続状態では、前記スリットが閉鎖し、これにより、前記被覆部材で前記テーパ部の全体が被覆され、
前記接続状態では、前記スリットが開放して、前記オスコネクタ本体内と前記メスコネクタ内とが連通する上記（１）に記載のコネクタ。
【００１１】
（３）  前記非接続状態で前記スリットを開放させる開放手段を有する上記（２）に記載のコネクタ。
【００１２】
（４）  前記オスコネクタ本体の基端側に、基端方向に向って延長する延長部を有する上記（１）ないし（３）いずれかに記載のコネクタ。
【００１３】
（５）  前記オスコネクタ本体と前記延長部との間には、それらのうちの一方側から他方側へ伝達する衝撃を緩和する緩衝部が設けられている上記（４）に記載のコネクタ。
【００１４】
（６）  前記延長部は、前記緩衝部を固定する延長部側固定部を有する上記（５）に記載のコネクタ。
【００１５】
（７）  前記メスコネクタの外周部には、ネジ部が形成されており、
前記ロック手段は、前記メスコネクタのネジ部に螺合するネジ部が内周部に設けられ、筒状をなすリング部材で構成されている上記（１）ないし（６）のいずれかに記載のコネクタ。
【００１６】
（８）  前記リング部材は、前記オスコネクタ本体に対して変位可能に設けられている上記（７）に記載のコネクタ。
【００１７】
（９）  前記リング部材の外周部には、該リング部材を回転操作するレバーが設けられている上記（７）または（８）に記載のコネクタ。
【００１８】
（１０）  前記接続状態では、前記スリットは、前記テーパ部の先端より先端側に位置した状態で開放している上記（２）または（３）に記載のコネクタ。
【００１９】
（１１）  前記開放手段は、前記被覆部材と一体的に形成され、前記オスコネクタ本体の長手方向に伸縮自在の伸縮部で構成されており、
前記伸縮部を収縮させることにより、前記被覆部材の頂部が引張られ、それにより、前記スリットが開放する上記（３）に記載のコネクタ。
【００２０】
（１２）  前記オスコネクタ本体は、前記被覆部材を固定する固定部を有する上記（１）ないし（１１）のいずれかに記載のコネクタ。
【００２１】
（１３）  前記固定部は、前記オスコネクタ本体の外周部に突出するフランジ状をなしている上記（１２）に記載のコネクタ。
【００２２】
（１４）  前記緩衝部は、前記被覆部材と一体的に形成されている上記（５）に記載のコネクタ。
【００２３】
（１５）  前記緩衝部は、その形状が蛇腹状をなしている上記（５）または（１４）に記載のコネクタ。
【００２４】
（１６）  前記延長部側固定部は、前記延長部の外周部に突出するフランジ状をなしている上記（６）に記載のコネクタ。
【発明の効果】
【００２５】
本発明によれば、接続状態のとき、被覆部材のメスコネクタの端部付近に弾性的に変形した部分がメスコネクタの端部に密着することにより、メスコネクタとオスコネクタ本体との接続部における液密性を確実に保持することができる。
【００２６】
また、被覆部材がテーパ部の全体を被覆するような場合には、非接続状態でオスコネクタ本体内が汚染されるのを防止することができる。また、このような被覆部材にスリットを設け、非接続状態で当該スリットを開放する開放手段を設けた場合には、例えば、プライミングを容易に行なうことができる。
【００２７】
また、延長部を設けた場合には、コネクタの長さを長く設定することができる、すなわち、コネクタの内部を流通する液体の流路の長さを長く設定することができる。
【００２８】
また、緩衝部を設けた場合には、衝撃を確実に緩和することができ、よって、例えば、前記衝撃により接続状態が不本意に解除されるのを防止することができる。
【発明を実施するための最良の形態】
【００２９】
以下、本発明のコネクタを添付図面に示す好適な実施形態に基づいて詳細に説明する。
＜第１実施形態＞
図１は、本発明のコネクタの第１実施形態（非接続状態）を示す縦断面斜視図、図２は、図１に示すコネクタの接続状態を示す縦断面斜視図である。なお、以下の説明では、図１および図２中（図３〜図７も同様）の上側を「先端」、下側を「基端」と言う。
【００３０】
本発明のコネクタ１を説明する前に、当該コネクタ１に接続可能なメスコネクタの一例について説明する。
【００３１】
メスコネクタ７は、コネクタ１に接続される部位または器具である。メスコネクタ７としては、例えば、シリンジ（注射器）の基端突出部位（針管を接続する部位）や、それ自体独立したハブ、シース等の管状器具が挙げられる。
【００３２】
図２に示すメスコネクタ７は、その形状が筒状をなしている。また、このメスコネクタ７には、内腔部７１１ａと雄ネジ（ネジ部）７１２とが形成されている。
【００３３】
内腔部７１１ａは、その形状がほぼ円柱状をなしている。
雄ネジ７１２は、メスコネクタ７の外周部７１５の基端側に形成されている。
【００３４】
次に、コネクタ１について説明する。以下の説明では、コネクタ１にメスコネクタ７が接続されていない状態を「非接続状態」といい、コネクタ１にメスコネクタ７が接続されている状態を「接続状態」という。
【００３５】
図１および図２に示すように、コネクタ１は、オスコネクタ本体２と、被覆部材３と、接続状態を維持するロック手段としてのロックアダプタ（リング部材）２３とを備えている。以下、各部の構成について説明する。
【００３６】
オスコネクタ本体２は、形状が筒状（管状）をなすものである。このオスコネクタ本体２は、先端に設けられた先端開口部（開口部）２２と、テーパ部（オステーパ部）２２２と、被覆部材３を固定する固定部（フランジ部）２５とを有している。
【００３７】
テーパ部２２２は、外径および内径が先端方向に向かって漸減している部位である。なお、テーパ部２２２の先端部２２２ｂは、図示のように、湾曲状をなしていてもよい。これにより、オスコネクタ本体２をメスコネクタ７に円滑に挿入することができる。
【００３８】
固定部２５は、オスコネクタ本体２の基端側（基端部）に設けられている。
この固定部２５は、オスコネクタ本体２の外周部に突出する、すなわち、外径が拡径するフランジ状をなしている。固定部２５がこのような形状をなしていることにより、固定部２５に被覆部材３の第２の円盤状部３３が確実に係合するができ（図１参照）、よって、被覆部材３がオスコネクタ本体２から容易に離脱するのを確実に防止することができる。
【００３９】
また、接続状態で被覆部材３は基端方向に押圧されるが（図２参照）、固定部２５に第２の円盤状部３３が固定されていることにより、被覆部材３全体が基端方向に移動するのが確実に防止される。
【００４０】
図１に示すように、被覆部材３は、被覆部材本体３１と、第１の円盤状部３２と、第２の円盤状部３３とを有し、これらが一体的に形成されている。
【００４１】
被覆部材本体３１は、その形状が筒状をなしている。この被覆部材本体３１は、非接続状態で、内周面３１１がテーパ部２２２の外周面２２２ａに密着しつつ、オスコネクタ本体２のテーパ部２２２の先端部２２２ｂを除く部分を被覆している。
【００４２】
第１の円盤状部３２は、被覆部材本体３１の外周部に突出するフランジ状（円盤状）をなしており、被覆部材本体３１の途中に設けられている。
【００４３】
第２の円盤状部３３は、被覆部材本体３１の外周部に突出するフランジ状をなしており、被覆部材本体３１の基端部に設けられている。また、この第２の円盤状部３３には、固定部２５に対応した形状の中空部３３１が設けられている。
【００４４】
中空部３３１には、オスコネクタ本体２の固定部２５が収納されており、これにより、第２の円盤状部３３が固定部２５に確実に固定される（係合する）。
【００４５】
また、図１に示すように、固定部２５と第２の円盤状部３３とは、中空部３３１に設けられた接着剤層３４を介して、互いに接着されている。これにより、固定部２５と第２の円盤状部３３とをより確実に（気密に）固定することができる。
【００４６】
なお、これらの接着に用いられる接着剤としては、特に限定されず、たとえば、ＵＶ硬化剤、ホットメルト接着剤またはその他の各種接着剤や、各種溶剤を用いることができる。
【００４７】
また、被覆部材３は、弾性材料で構成されている。この弾性材料としては、特に限定さされないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、被覆部材本体３１に適度な弾性を得ることができ、よって、接続状態で、被覆部材本体３１とメスコネクタ７とが液密に（確実に）密着することができる（図２参照）。
【００４８】
また、前述したように被覆部材本体３１、第１の円盤状部３２および第２の円盤状部３３が一体的に形成されていることにより、第１の円盤状部３２や第２の円盤状部３３を別部材で構成する（設ける）のを省略することができ、よって、被覆部材３の部品点数の減少、構造の簡素化に寄与することができる。
【００４９】
オスコネクタ本体２（被覆部材３）の外周側には、筒状のロックアダプタ２３が設けられている。ロックアダプタ２３には、雌ネジ（ネジ部）２３２と、レバー２３３と、連結部（縮径部）２３４とが設けられている。
【００５０】
雌ネジ２３２は、ロックアダプタ２３の内周部２３１の先端側に設けられている。この雌ネジ２３２は、接続状態でメスコネクタ７の雄ネジ７１２に螺合することができる（図２参照）。これらの螺合により、接続状態を確実に維持することができる、すなわち、接続状態が容易に解除されるのを確実に防止することができる。
【００５１】
ロックアダプタ２３の外周部２３５には、コネクタ１（ロックアダプタ２３）の軸方向に沿って、レバー２３３が突出形成されて（延在して）いる。レバー２３３に指先を引っ掛けるまたはレバー２３３を指先でつまむことにより、ロックアダプタ２３を容易に操作する（変位させる）ことができる。換言すれば、レバー２３３に指先を引っ掛けるまたはレバー２３３を指先でつまむことにより、ロックアダプタ２３に指先からの力（例えば、回転力や押圧力）を確実に加えることができる。
【００５２】
ここで操作とは、例えば、雌ネジ２３２とメスコネクタ７の雄ネジ７１２と螺合させるのにロックアダプタ２３を回転させたり、ロックアダプタ２３をコネクタ１の軸方向に沿って移動させたりすることをいう。
【００５３】
連結部２３４は、内周部２３１の内径が縮径し、被覆部材３に連結される部位である。この連結部２３４の内周面２３４ｃが被覆部材３（被覆部材本体３１）の外周面３１２に沿って変位（摺動）することにより、ロックアダプタ２３がオスコネクタ本体２に対して変位することができ、よって、接続状態でメスコネクタ７に対するロックアダプタ２３の位置を適宜調整することができる。
【００５４】
また、図１に示すように、連結部２３４の先端面２３４ａが第１の円盤状部３２に当接することにより、ロックアダプタ２３の先端方向への移動が規制される。これにより、ロックアダプタ２３がオスコネクタ本体２（被覆部材３）から離脱するのが防止される。また、連結部２３４の基端面２３４ｂが第２の円盤状部３３に当接することにより、ロックアダプタ２３の基端方向への移動が規制される。
【００５５】
従って、連結部２３４は、第１の円盤状部３２と第２の円盤状部３３との間を移動することができる。
【００５６】
なお、ロックアダプタ２３およびオスコネクタ本体２の構成材料としては、特に限定されないが、例えば、各種金属材料や各種プラスチック等を単独または組み合わせて用いることができる。また、このような材料に、銀系抗菌剤や酸化チタン系抗菌剤のような抗菌材料が含有されていてもよい。
以上のような構成のコネクタ１に、メスコネクタ７が着脱自在に装着（接続）される。
【００５７】
次に、接続状態について説明する。
図２に示すように、接続状態では、オスコネクタ本体２のテーパ部２２２がメスコネクタ７の内腔部７１１ａに挿入され、このメスコネクタ７の基端部（端部）７２により、被覆部材３（被覆部材本体３１）の先端部がオスコネクタ本体２の基端方向に押圧される。これにより、被覆部材３には、そのメスコネクタ７の基端部７２付近に、蛇腹状に変形した部分（以下、この部分を「変形部３５」という）が生じる。この変形部３５は、押圧力が解除されたときに復元するように、弾性的に変形する。
【００５８】
変形部３５は、前述したように弾性的に変形するが、押圧力と反対方向に働く反力（復元力）により、メスコネクタ７の基端部７２、すなわち、基端開口部７３の周囲に密着する。これにより、メスコネクタ７とオスコネクタ本体２との接続部８の液密性が確実に保持される、すなわち、オスコネクタ本体２の内腔部２２１とメスコネクタ７の内腔部７１１ａとで構成される流路９を流れる液体が接続部８から漏れるのを確実に防止することができる。
【００５９】
また、接続状態では、テーパ部２２２は、メスコネクタ７に嵌合する。換言すれば、接続状態では、テーパ部２２２は、その外径がメスコネクタ７の基端開口部７３の内径とほぼ等しくなる部分で、メスコネクタ７の基端開口部７３の縁部７３１に密着する。これにより、接続部８の液密性がより確実に保持される。
【００６０】
また、前述したように、ロックアダプタ２３の雌ネジ２３２がメスコネクタ７の雄ネジ７１２に螺合している。これにより、接続状態が確実に維持される。
【００６１】
また、変形部３５は、メスコネクタ７を先端方向へ付勢している。これにより、雄ネジ７１２と雌ネジ２３２との間の摩擦力が増加し、よって、接続状態をより確実に維持することができる。
【００６２】
図２に示す状態（接続状態）のコネクタ１からメスコネクタ７を抜去すると、すなわち、再度非接続状態になると、オスコネクタ本体２（テーパ部２２２）の外周面２２２ａと被覆部材３の内周面３１１とが再度密着することとなる。これにより、外周面２２２ａと内周面３１１との間に間隙が形成されるのが防止され、よって、例えば、メスコネクタ７の内腔部７１１ａに残留した液体が外周面２２２ａと内周面３１１との間に入り込む（滞留する）のを確実に防止することができる。
【００６３】
＜第２実施形態＞
図３は、本発明のコネクタの第２実施形態（非接続状態）を示す縦断面斜視図、図４は、図３に示すコネクタにおいてスリットが開放したときを示す縦断面斜視図、図５は、図３に示すコネクタの接続状態を示す縦断面斜視図である。
【００６４】
以下、これらの図を参照して本発明のコネクタの第２実施形態について説明するが、前述した実施形態との相違点を中心に説明し、同様の事項はその説明を省略する。
本実施形態は、被覆部材の構成が異なること以外は前記第１実施形態と同様である。
【００６５】
図３、図４および図５に示すように、被覆部材３Ａは、テーパ部２２２の先端（先端開口部２２）を覆う頂部３６と、頂部３６に設けられたスリット３６１と、第３の円盤状部３８と、オスコネクタ本体２の長手方向に伸縮自在の伸縮部３７とをさらに有している。
【００６６】
スリット３６１は、その形状が一文字状をなしており、頂部３６の先端面３６２から基端面３６３に到達するように形成されている。
【００６７】
図３に示すように、スリット３６１は、非接続状態で閉鎖している。これにより、被覆部材３Ａでテーパ部２２２の全体を被覆することができる。
【００６８】
また、非接続状態でスリット３６１が閉鎖していることにより、コネクタ１の基端側に接続されている。例えば輸液バッグのような液体貯留部（図示せず）内の液体が、先端開口部２２から吐出する（漏れ出す）のを確実に防止することができる。また、内腔部２２１が無菌状態となっている場合には、その無菌状態を確実に維持することができる、すなわち、内腔部２２１が汚染されるのを確実に防止することができる。
【００６９】
第３の円盤状部３８は、被覆部材３Ａの外周部に突出するフランジ状をなしており、第１の円盤状部３２と第２の円盤状部３３との間に設けられている。
【００７０】
伸縮部３７は、その形状が蛇腹状をなしており、第３の円盤状部３８と第２の円盤状部３３との間に設けられている。
【００７１】
図４に示すように、非接続状態で第３の円盤状部３８にロックアダプタ２３の連結部２３４の基端面２３４ｂを当接させ、さらにロックアダプタ２３を基端方向に押圧する（移動させる）ことにより、伸縮部３７を収縮させることができる。この伸縮部３７の収縮により、被覆部材本体３１が基端方向に引張られ、これに伴って、被覆部材３Ａの頂部３６も引張られる。これにより、スリット３６１が開放することができる。
【００７２】
このように、伸縮部３７は、非接続状態でスリット３６１を開放させる開放手段として機能している。
【００７３】
このような開放手段、すなわち、伸縮部３７が設けられていることにより、非接続状態で、内腔部２２１の液体中の気泡（気体）を、開放したスリット３６１から除去する、すなわち、プライミングを行なうことができる。
【００７４】
また、図３に示すように、伸縮部３７および第３の円盤状部３８は、被覆部材３Ａと一体的に形成されている。これにより、伸縮部３７および第３の円盤状部３８をそれぞれ別部材で設けるのを省略することができ、よって、被覆部材３Ａの部品点数の減少、構造の簡素化に寄与することができる。
【００７５】
次に、接続状態について説明する。
図５に示すように、接続状態では、オスコネクタ本体２のテーパ部２２２がメスコネクタ７の内腔部７１１ａに挿入され、このメスコネクタ７の基端部（端部）７２とテーパ部２２の外周面２２２ａとで被覆部材本体３１が挟持されつつ、オスコネクタ本体２の基端方向に押圧される。これにより、被覆部材本体３１には、そのメスコネクタ７の基端部７２に付近に、変形部３５が生じる。
【００７６】
変形部３５は、前述したように弾性的に変形するが、押圧力と反対方向に働く反力（復元力）により、メスコネクタ７の基端部７２、すなわち、基端開口部７３の縁部７３１に密着する。これにより、メスコネクタ７とオスコネクタ本体２との接続部８の液密性が確実に保持される、すなわち、オスコネクタ本体２の内腔部２２１とメスコネクタ７の内腔部７１１ａとで構成される流路９を流れる液体が接続部８から漏れるのを確実に防止することができる。
【００７７】
また、前述したように被覆部材本体３１がオスコネクタ本体２の基端方向に押圧されており、これに伴って、被覆部材３Ａの頂部３６が先端部２２２ｂの外形に沿って引張られる。これにより、スリット３６１が開放し、このスリット３６１を介してオスコネクタ本体２の内腔部２２１とメスコネクタ７の内腔部７１１ａとが連通する、すなわち、流路９内を液体が流通することができる。
【００７８】
また、図５に示すように、接続状態では、スリット３６１は、先端開口部２２より先端側に位置した状態で開放している。換言すれば、接続状態であっても、開放したスリット３６１は、先端開口部２２の先端側に位置した状態が維持されている。
【００７９】
接続状態でスリット３６１が先端開口部２２より先端側に位置する状態は、被覆部材３Ａの外径とメスコネクタ７の基端開口部７３の内径とを適宜設定することにより、被覆部材本体３１が引張られる距離が調節され、これにより可能となる。
【００８０】
このような構成より、接続状態でスリット３６１が過剰に開放するのが防止され、よって、スリット３６１が裂けるのを防止することができる。また、接続状態と被接続状態とを繰り返したとしても、非接続状態でスリット３６１が再度、確実に閉鎖することができる。
【００８１】
＜第３実施形態＞
図６は、本発明のコネクタの第３実施形態（非接続状態）を示す縦断面斜視図、図７は、図６に示すコネクタの接続状態を示す縦断面斜視図である。
【００８２】
以下、これらの図を参照して本発明のコネクタの第３実施形態について説明するが、前述した実施形態との相違点を中心に説明し、同様の事項はその説明を省略する。
【００８３】
本実施形態は、延長部が設けられていることと、被覆部材の構成が異なること以外は前記第２実施形態と同様である。
【００８４】
図６および図７に示すように、オスコネクタ本体２の基端側には、基端方向に向って延長する延長部５が設けられている。また、被覆部材３Ｂは、緩衝部３９と、第４の円盤状部４０とをさらに有している。
【００８５】
延長部５は、オスコネクタ本体２と同様に、形状が筒状をなしている。この延長部５は、先端に設けられた先端開口部（開口部）５２と、第４の円盤状部４０（緩衝部３９）を固定する固定部（延長部側固定部）５５とを有している。
【００８６】
固定部５５は、延長部５の先端側（先端部）に設けられている。
この固定部５５は、延長部５の外周部に突出する、すなわち、外径が拡径するフランジ状をなしている。固定部５５がこのような形状をなしていることにより、固定部５５に被覆部材３Ｂの第４の円盤状部４０が確実に係合するができ（図６参照）、よって、延長部５が被覆部材３Ｂから容易に離脱するのを確実に防止することができる。
【００８７】
また、延長部５が設けられていることにより、コネクタ１（流路９（内腔部５１を含む））の長さが長くなる、すなわち、流路９の長さを稼ぐことができる。
【００８８】
第４の円盤状部４０は、その形状がフランジ状をなしており、被覆部材３Ｂの第２の円盤状部３３の基端側に設けられている。また、この第４の円盤状部４０には、固定部５５に対応した形状の中空部４０１が設けられている。
【００８９】
中空部４０１には、延長部５の固定部５５が収納されており、これにより、第４の円盤状部４０が固定部５５に確実に固定される。
【００９０】
また、図６に示すように、固定部５５と第４の円盤状部４０とは、中空部４０１に設けられた接着剤層４１を介して、互いに接着されている。これにより、固定部５５と第４の円盤状部４０とをより確実に（気密に）固定することができる。
【００９１】
なお、これらの接着に用いられる接着剤としては、特に限定されず、たとえば、前記第１実施形態の接着剤層３４についての説明で挙げたようなものを用いることができる。
【００９２】
図６に示すように、緩衝部３９は、その形状が蛇腹状をなしている。
この緩衝部３９は、第２の円盤状部３３と第４の円盤状部４０との間、すなわち、オスコネクタ本体２と延長部５との間に設けられており、オスコネクタ本体２と延長部５とを連結する連結部としての機能を有している。また、緩衝部３９の内腔部３９１を介して、オスコネクタ本体２の内腔部２２１と、延長部５の内腔部５１とが連通している。
【００９３】
図７に示すように、接続状態では、すなわち、コネクタ１を使用しているとき、当該コネクタ１は、例えば先端側（一方側）から基端側（他方側）へ伝達する衝撃Ｑを受け易い。
【００９４】
しかしながら、緩衝部３９が設けられていることにより、衝撃Ｑを確実に緩和することができ、よって、接続部８の液密性を保持し続けることができるとともに、ロックアダプタ２３とメスコネクタ７との螺合が緩むのを確実に防止することができる。
【００９５】
また、緩衝部３９は、オスコネクタ本体２に対する延長部５の曲げや捩れに対しても自由度を有することができ、よって、このような曲げや捩れに対する緩衝機能も果たすことができる。
【００９６】
また、図６に示すように、緩衝部３９および第４の円盤状部４０は、被覆部材３Ｂと一体的に形成されている。これにより、緩衝部３９および第４の円盤状部４０をそれぞれ別部材で設けるのを省略することができ、よって、被覆部材３Ｂの部品点数の減少、構造の簡素化に寄与することができる。
【００９７】
以上、本発明のコネクタを図示の実施形態について説明したが、本発明は、これに限定されるものではなく、コネクタを構成する各部は、同様の機能を発揮し得る任意の構成のものと置換することができる。また、任意の構成物が付加されていてもよい。
【００９８】
また、オスコネクタ本体の開口部は、図示の構成では先端方向に向って開口しているが、これに限定されるものではなく、先端付近に設けられた側孔であってもよい。
【００９９】
また、オスコネクタ本体の開口部の形成数は、図示の構成では１つであるが、これに限定されず、例えば、オスコネクタ本体の開口部が前記側孔として設けられる場合は、２つ以上であってもよい。
【０１００】
また、コネクタは、オスコネクタ本体の基端側に、例えば、輸液セットや延長チューブ等を接続して用いられてもよい。
【０１０１】
また、ロック手段の構造としては、図示のような螺合構造であるのに限定されず、例えば、嵌合構造等を用いることができる。
【０１０２】
また、ロックアダプタのレバーの形成数は、図示の構成では１つであるが、これに限定されず、２つ以上であってもよい。
【０１０３】
また、スリットは、その形状が一文字状のものに限定されず、十文字状、Ｌ字状、Ｈ字状、コ字状、Ｙ字状等のものであってもよいし、またはそれを複数重ねたものであってもよい。
【０１０４】
また、メスコネクタの内腔部に弁が設けられていてもよい。この弁は、非接続状態で弁が閉塞し、接続状態で弁が開放するよう構成されており、このような構成の弁としては、例えば、いわゆるニードルレス弁と呼ばれる弁が挙げられる。
【図面の簡単な説明】
【０１０５】
【図１】本発明のコネクタの第１実施形態（非接続状態）を示す縦断面斜視図である。
【図２】図１に示すコネクタの接続状態を示す縦断面斜視図である。
【図３】本発明のコネクタの第２実施形態（非接続状態）を示す縦断面斜視図である。
【図４】図３に示すコネクタにおいてスリットが開放したときを示す縦断面斜視図である。
【図５】図３に示すコネクタの接続状態を示す縦断面斜視図である。
【図６】本発明のコネクタの第３実施形態（非接続状態）を示す縦断面斜視図である。
【図７】図６に示すコネクタの接続状態を示す縦断面斜視図である。
【符号の説明】
【０１０６】
１            コネクタ
２            オスコネクタ本体
２２          先端開口部（開口部）
２２１        内腔部
２２２        テーパ部（オステーパ部）
２２２ａ      外周面
２２２ｂ      先端部
２３          ロックアダプタ（リング部材）
２３１        内周部
２３２        雌ネジ（ネジ部）
２３３        レバー
２３４        連結部（縮径部）
２３４ａ      先端面
２３４ｂ      基端面
２３４ｃ      内周面
２３５        外周部
２５          固定部（フランジ部）
３、３Ａ、３Ｂ  被覆部材
３１          被覆部材本体
３１１        内周面
３１２        外周面
３２          第１の円盤状部
３３          第２の円盤状部
３３１        中空部
３４          接着剤層
３５          変形部
３６          頂部
３６１        スリット
３６２        先端面
３６３        基端面
３７          伸縮部
３８          第３の円盤状部
３９          緩衝部
３９１        内腔部
４０          第４の円盤状部
４０１        中空部
４１          接着剤層
５            延長部
５１          内腔部
５２          先端開口部
５５          固定部
７            メスコネクタ
７１１ａ      内腔部
７１２        雄ネジ（ネジ部）
７１５        外周部
７２          基端部
７３          基端開口部
７３１        縁部
８            接続部
９            流路
Ｑ            衝撃
【図１】
2006223583.tif 000003
【図２】
2006223583.tif 000004
【図３】
2006223583.tif 000005
【図４】
2006223583.tif 000006
【図５】
2006223583.tif 000007
【図６】
2006223583.tif 000008
【図７】
2006223583.tif 000009